(57)【特許請求の範囲】
【請求項１】
コアネットワークから基地局までの通信路に含まれる通信装置の異常を検出する異常検出部と、
前記異常検出部が検出した異常を示すアラームを出力するアラーム出力部と、
前記異常を解消するために用いられる機器を示す第１機器情報を含む対応依頼情報を、異常が検出された前記通信装置に対応付けられた宛先に送信する対応依頼情報送信部と、
前記異常が検出された通信装置に対する異常解消作業のスケジュールを管理する作業スケジュール管理部と、
前記作業スケジュール管理部が管理するスケジュールに基づいて、前記アラーム出力部を制御するアラーム出力制御部と、
前記異常検出部が検出した異常が前記基地局を利用する基地局利用者に対して影響を与えるか否かを判定する影響判定部と
を備え、
前記アラーム出力制御部は、前記異常が検出された通信装置に対して異常解消作業が行われていることを前記スケジュールが示し、かつ、前記影響判定部が影響を与えないと判定した場合、前記アラームを出力しないように前記アラーム出力部を制御し、前記異常が検出された通信装置に対して異常解消作業が行われていることを前記スケジュールが示し、かつ、前記影響判定部が影響を与えると判定した場合、前記アラームを出力するように前記アラーム出力部を制御する、通信路管理装置。
【請求項２】
前記第１機器情報を取得する第１機器情報取得部
をさらに備える、請求項１に記載の通信路管理装置。
【請求項３】
前記異常検出部が検出した異常の種類に基づいて、前記異常が検出された通信装置に前記通信路上で隣接する通信装置への対応の要否を判定する対応要否判定部と、
前記対応要否判定部が対応要と判定した場合に、前記異常を解消するために前記隣接する通信装置に対して用いられる機器を示す第２機器情報を取得する第２機器情報取得部と
をさらに備え、
前記対応依頼情報送信部は、前記第２機器情報を含む対応依頼情報を前記隣接する通信装置に対応付けられた宛先に送信する、請求項２に記載の通信路管理装置。
【請求項４】
前記異常検出部は、前記通信路に含まれる通信装置から異常を示す異常データを受信することによって、前記通信装置の異常を検出する、請求項１から３のいずれか一項に記載の通信路管理装置。
【請求項５】
前記通信路に含まれる通信装置を診断する通信装置診断部
をさらに備え、
前記異常検出部は、前記通信装置診断部による診断結果に基づいて、前記通信装置の異常を検出する、請求項１から４のいずれか一項に記載の通信路管理装置。
【請求項６】
前記アラーム出力制御部は、前記異常が検出された通信装置に対して異常解消作業が行われていることを前記スケジュールが示し、かつ、前記影響判定部が影響を与えると判定した場合、異常解消作業が行われていることを追加した前記アラームを前記アラーム出力部に出力させる、請求項１から５のいずれか一項に記載の通信路管理装置。
【請求項７】
コンピュータを、請求項１から６のいずれか一項に記載の通信路管理装置として機能させるためのプログラム。
【発明の詳細な説明】
【技術分野】
【０００１】
本発明は、通信路管理装置及びプログラムに関する。
【背景技術】
【０００２】
従来、通信ネットワークに障害が発生した場合に、予め登録された携帯端末等に障害情報を通知する技術が知られていた（例えば、特許文献１参照）。
［先行技術文献］
［特許文献］
［特許文献１］特開２００２−０３３７３１号公報
【発明の概要】
【発明が解決しようとする課題】
【０００３】
通信ネットワークを構成する通信装置に異常が発生した場合に、効率的に異常を解消することを支援できることが望ましい。
【課題を解決するための手段】
【０００４】
本発明の第１の態様によれば、コアネットワークから基地局までの通信路に含まれる通信装置の異常を検出する異常検出部と、異常検出部が検出した異常の種類に基づいて、異常を解消するために用いられる機器を示す第１機器情報を取得する第１機器情報取得部と、
第１機器情報を含む対応依頼情報を、異常が検出された通信装置に対応付けられた宛先に送信する対応依頼情報送信部とを備える通信路管理装置が提供される。
【０００５】
上記通信路管理装置は、異常検出部が検出した異常の種類に基づいて、異常が検出された通信装置に通信路上で隣接する通信装置への対応の要否を判定する対応要否判定部と、対応要否判定部が対応要と判定した場合に、異常を解消するために隣接する通信装置に対して用いられる機器を示す第２機器情報を取得する第２機器情報取得部とをさらに備えてよく、対応依頼情報送信部は、第２機器情報を含む対応依頼情報を隣接する通信装置に対応付けられた宛先に送信してよい。上記通信路管理装置において、異常検出部は、通信路に含まれる通信装置から異常を示す異常データを受信することによって、通信装置の異常を検出してよい。上記通信路管理装置は、通信路に含まれる通信装置を診断する通信装置診断部をさらに備えてよく、異常検出部は、通信装置診断部による診断結果に基づいて、通信装置の異常を検出してよい。
【０００６】
上記通信路管理装置は、異常検出部が検出した異常を示すアラームを出力するアラーム出力部と、異常が検出された通信装置に対する異常解消作業のスケジュールを管理する作業スケジュール管理部と、作業スケジュール管理部が管理するスケジュールに基づいて、アラーム出力部を制御するアラーム出力制御部とをさらに備えてよい。上記通信路管理装置において、アラーム出力制御部は、異常が検出された通信装置に対して異常解消作業が行われていることをスケジュールが示す場合、異常解消作業が行われていることを追加したアラームをアラーム出力部に出力させてよい。上記通信路管理装置において、アラーム出力制御部は、異常が検出された通信装置に対して異常解消作業が行われていることをスケジュールが示す場合、アラームを出力しないようにアラーム出力部を制御してよい。上記通信路管理装置は、異常検出部が検出した異常が基地局を利用する基地局利用者に対して影響を与えるか否かを判定する影響判定部をさらに備えてよく、アラーム出力制御部は、異常が検出された通信装置に対して異常解消作業が行われていることをスケジュールが示し、かつ、影響判定部が影響を与えないと判定した場合、アラームを出力しないようにアラーム出力部を制御し、異常が検出された通信装置に対して異常解消作業が行われていることをスケジュールが示し、かつ、影響判定部が影響を与えると判定した場合、アラームを出力するようにアラーム出力部を制御してよい。
【０００７】
本発明の第２の態様によれば、コンピュータを、上記通信路管理装置として機能させるためのプログラムが提供される。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】通信路管理装置の通信環境の一例を概略的に示す。
【図２】通信路管理装置の機能構成の一例を概略的に示す。
【図３】通信路構成画面の一例を概略的に示す。
【図４】アラームを含む通信路構成画面の一例を概略的に示す。
【図５】アラームリストの一例を概略的に示す。
【図６】アラーム表示画面の一例を概略的に示す
【図７】第１機器情報の表示例を概略的に示す。
【図８】通信路管理装置による処理の流れの一例を概略的に示す。
【図９】通信路管理装置による処理の流れの一例を概略的に示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、本実施形態に係る通信路管理装置１００の通信環境の一例を概略的に示す。通信路管理装置１００は、コアネットワーク１０に通信接続されていてよく、コアネットワーク１０と基地局４０との間の通信路を管理してよい。通信路管理装置１００は、コアネットワーク１０と基地局４０との間の通信路に含まれる通信装置と通信可能なネットワーク上の任意の位置に接続されていてよい。
【００１２】
基地局４０は、リング状に接続された複数の光終端装置３０及びＰＯＩ（Ｐｏｉｎｔ  Ｏｆ  Ｉｎｔｅｒｆａｃｅ）２０を介して、コアネットワーク１０に接続されていてよい。基地局４０は、例えば、移動通信電話網を構成する基地局である。
【００１３】
通信路管理装置１００は、コアネットワーク１０から基地局４０までの通信路に含まれる通信装置の異常を検出した場合に、当該異常への対応を依頼するための対応依頼情報を生成する。通信路管理装置１００は、通信装置の異常を解消するために用いられる機器の情報を含む対応依頼情報を生成する。そして、通信路管理装置１００は、生成した対応依頼情報を、異常が検出された通信装置（異常発生装置と呼ぶ場合がある。）に対応付けられた宛先に送信する。
【００１４】
コアネットワーク１０から基地局４０までの通信路に含まれる通信装置とは、当該通信路を構成する通信装置であってよい。通信路に含まれる通信装置は、例えば、ＯＬＴ（Ｏｐｔｉｃａｌ  Ｌｉｎｅ  Ｔｅｒｍｉｎａｔｉｏｎ）、光カプラ、ＯＮＴ（Ｏｐｔｉｃａｌ  Ｎｅｔｗｏｒｋ  Ｔｅｒｍｉｎａｔｉｏｎ）、ＯＮＵ（Ｏｐｔｉｃａｌ  Ｎｅｔｗｏｒｋ  Ｕｎｉｔ）及びルータ等である。
【００１５】
通信装置の異常を解消するために用いられる機器とは、異常を解消するために用いられる可能性がある機器であってよい。例えば、異常を解消するために用いられる機器は、異常発生装置を代替する通信装置、異常発生装置が有するユニットと同一のユニット、異常発生装置が有するユニットを代替するユニット及び異常発生装置を試験する試験器等である。
【００１６】
通信装置に対応付けられた宛先とは、例えば、通信装置を保守・管理する保守管理担当者の連絡先である。保守管理担当者の連絡先は、対応依頼情報を送信できる連絡先であればどのようなものであってもよく、例えば、メールアドレスである。
【００１７】
本実施形態に係る通信路管理装置１００は、通信装置の異常を検出したときに対応依頼情報を異常発生装置の保守管理担当者に送信することによって、検出した異常への対応を保守管理担当者に対して迅速に依頼できる。対応依頼情報が異常を解消するために用いられる機器の情報を含むことにより、保守管理担当者は、異常発生装置の異常を解消するために必要な機器を把握することができ、異常解消作業に効率的に着手できる。
【００１８】
図２は、通信路管理装置１００の機能構成の一例を概略的に示す。通信路管理装置１００は、通信路構成格納部１０２、通信路構成表示制御部１０４、通信装置診断部１０６、異常検出部１０８、異常データ受信部１１０、アラーム出力部１２０、対応依頼情報生成部１３０、第１機器情報取得部１３２、機器情報格納部１４０、対応依頼情報送信部１５０、対応要否判定部１６２、第２機器情報取得部１６４、アラーム出力制御部１７２、作業スケジュール管理部１７４及び影響判定部１７６を備える。なお、通信路管理装置１００がこれらのすべての構成を備えることは必須とは限らない。
【００１９】
通信路構成格納部１０２は、コアネットワーク１０から複数の基地局４０までの複数の通信路の構成を格納する。通信路の構成とは、通信路に含まれる複数の通信装置の接続関係であってよい。
【００２０】
通信路構成表示制御部１０４は、通信路構成格納部１０２が格納する複数の通信路の構成を、通信路管理装置１００が備える不図示のディスプレイに表示させてよい。また、通信路構成表示制御部１０４は、他の装置が備えるディスプレイに、複数の通信路の構成を表示させてもよい。
【００２１】
通信装置診断部１０６は、コアネットワーク１０から基地局４０までの通信路に含まれる通信装置を診断する。通信装置診断部１０６は、たとえば、通信路構成表示制御部１０４によって構成が表示された通信路に対する診断指示を受け付けた場合に、当該通信路に含まれる複数の通信装置を診断する。また、通信装置診断部１０６は、複数の通信路のそれぞれに含まれる複数の通信装置を定期的に診断してもよい。例えば、通信装置診断部１０６は、予め設定された時間間隔で複数の通信装置を診断する。
【００２２】
通信装置診断部１０６は、例えば、通信路に含まれる一の通信装置にログインして、当該通信装置から他の通信装置へのパケットの到達性をテストすることによって、通信路を診断する。具体例として、通信装置診断部１０６は、光終端装置３０にログインして、光終端装置３０から基地局４０への通信路に含まれる他の通信装置のそれぞれに対してＰｉｎｇを送信することにより、通信路に含まれる複数の通信装置を診断する。
【００２３】
異常検出部１０８は、コアネットワーク１０から基地局４０までの通信路に含まれる通信装置の異常を検出する。異常検出部１０８は、通信装置診断部１０６による診断結果に基づいて、通信装置の異常を検出してよい。例えば、異常検出部１０８は、通信装置診断部１０６による診断結果が、Ｐｉｎｇに対するリプライを受信しないこと及びパケットロス率が予め定められた閾値を超えていること等を示す場合に、異常が発生していると検出する。
【００２４】
異常データ受信部１１０は、コアネットワーク１０から基地局４０までの通信路に含まれる通信装置から、当該通信装置の異常を示す異常データを受信する。通信装置は、当該通信装置の異常を検出した場合に、異常データを通信路管理装置１００に対して送信してよい。通信装置は、例えば、当該通信装置の製造者によってあらかじめ設定された異常状態に合致する状態となった場合に、当該通信装置の異常を検出する。例えば、通信装置は、定期的に通信トラフィックを計測して、直前に計測した通信トラフィックとの比較結果が予め定められた条件に合致した場合に、異常データを通信路管理装置１００に送信する。具体例として、通信装置は、５分前の通信トラフィックと現在の通信トラフィックとを比較して、通信トラフィックが３０％以上増加した場合又は通信トラフィックが３０％以上減少した場合に、異常データを通信路管理装置１００に送信する。
【００２５】
アラーム出力部１２０は、異常検出部１０８が異常を検出した場合に、当該異常を示すアラームを出力する。アラーム出力部１２０は、通信路管理装置１００が備える不図示のディスプレイにアラームを表示出力させてよい。また、アラーム出力部１２０は、他の装置が備えるディスプレイにアラームを表示出力させてもよい。また、アラーム出力部１２０は、アラームをメール送信してもよい。アラーム出力部１２０は、例えば、通信路管理装置１００の管理者宛にアラームをメール送信する。
【００２６】
対応依頼情報生成部１３０は、対応依頼情報を生成する。対応依頼情報生成部１３０は、例えば、アラーム出力部１２０が出力したアラームに対する対応依頼情報作成指示を受け付けた場合に、対応依頼情報を生成する。
【００２７】
第１機器情報取得部１３２は、異常検出部１０８が検出した異常の種類に基づいて、異常を解消するために用いられる機器を示す第１機器情報を取得する。第１機器情報取得部１３２は、機器情報格納部１４０から、第１機器情報を取得してよい。
【００２８】
機器情報格納部１４０は、複数の異常の種類のそれぞれについて、異常を解消するために用いられる機器が対応付けられた対応付けデータを格納する。対応付けデータにおいて、複数の異常の種類のそれぞれに対して、異常を解消するために用いられる複数の機器が対応付けられていてよい。例えば、通信機能に関する異常に対して複数種類のトランシーバモジュールが対応付けられる。また、例えば、電源機能に関する異常に対して、複数種類の電源装置が対応付けられる。
【００２９】
機器情報格納部１４０は、複数の異常の種類と複数の通信装置の種類とのそれぞれの組み合わせに対して、異常を解消するために用いられる機器が対応付けられた対応付けデータを格納してもよい。例えば、通信機能に関する異常と一の通信装置の種類との組み合わせに対して、一のトランシーバモジュールが対応付けられ、通信機能に関する異常と他の通信装置の種類との組み合わせに対して、他のトランシーバモジュールが対応付けられてよい。
【００３０】
対応依頼情報送信部１５０は、第１機器情報取得部１３２が取得した第１機器情報を含む対応依頼情報を、異常が検出された通信装置に対応付けられた宛先に送信する。対応依頼情報送信部１５０は、第１機器情報と、異常が検出された通信装置の異常に対応することを依頼する内容を示す情報とを含む対応依頼情報を、異常が検出された通信装置に対応付けられた宛先に送信してよい。対応依頼情報送信部１５０が、第１機器情報を含む対応依頼情報を、異常が検出された通信装置に対応付けられた宛先に送信することにより、当該通信装置に対する異常解消作業を効率的に依頼することができる。
【００３１】
対応要否判定部１６２は、異常検出部１０８が検出した異常の種類に基づいて、異常が検出された通信装置に通信路上で隣接する通信装置への対応の要否を判定する。一の通信装置に通信路上で隣接する通信装置とは、通信路に含まれる複数の通信装置のうち、一の通信装置が送信するデータを最初に受信する通信装置であってよい。また、通信路に含まれる複数の通信装置のうち、送信するデータを、一の通信装置が最初に受信する通信装置であってよい。対応要否判定部１６２は、例えば、異常検出部１０８が検出した異常の種類が受信に関する異常であった場合に、当該通信装置に対してデータを送信する、当該通信装置に隣接する通信装置への対応要と判定する。
【００３２】
第２機器情報取得部１６４は、対応要否判定部１６２が対応要と判定した場合に、異常検出部１０８が検出した異常を解消するために、異常が検出された通信装置に通信路上で隣接する通信装置に対して用いられる機器を示す第２機器情報を取得する。第２機器情報取得部１６４は、機器情報格納部１４０から、第２機器情報を取得してよい。
【００３３】
例えば、第２機器情報取得部１６４は、まず、異常が検出された通信装置に通信路上で隣接する通信装置の種類を示す情報を通信路構成格納部１０２から取得する。そして、第２機器情報取得部１６４は、当該隣接する通信装置の種類と、異常検出部１０８が検出した異常の種類とに対応付けられた、異常を解消するために用いられる機器の情報を、第２機器情報として機器情報格納部１４０から取得する。
【００３４】
対応依頼情報送信部１５０は、対応要否判定部１６２が対応要と判定した場合に、異常が検出された通信装置に通信路上隣接する通信装置に対応付けられた宛先に、第２機器情報を含む対応依頼情報を送信してよい。
【００３５】
一の通信装置に異常が検出された場合、当該一の通信装置に異常が発生している場合もあれば、当該一の通信装置に隣接する通信装置に発生した異常の影響を当該一の通信装置が受けている場合もある。また、一の通信装置及び隣接する通信装置の両方に異常が発生している場合もある。本実施形態に係る通信路管理装置１００によれば、一の通信装置について異常が検出された場合に、異常の種類が隣接する通信装置に異常が発生している可能性があるものであれば、異常を解消するために当該隣接する通信装置に用いられる機器を示す第２機器情報を含む対応依頼情報が、当該隣接する通信装置に対応付けられた宛先に送信される。これにより、例えば、一の通信装置について異常が検出され、その異常が隣接する通信装置に発生した異常によるものである場合に、隣接する通信装置への対応依頼を迅速に行えることから、異常の解消を迅速化できる。
【００３６】
アラーム出力制御部１７２は、アラーム出力部１２０を制御する。アラーム出力制御部１７２は、作業スケジュール管理部１７４が管理する作業スケジュールに基づいて、アラーム出力部１２０を制御してよい。
【００３７】
作業スケジュール管理部１７４は、異常検出部１０８によって異常が検出された通信装置に対する異常解消作業の作業スケジュールを管理する。作業スケジュール管理部１７４は、例えば、対応依頼情報送信部１５０が送信した対応依頼情報を閲覧した通信装置の保守管理担当者によって設定された異常解消作業の作業スケジュールを管理する。
【００３８】
また、作業スケジュール管理部１７４は、異常解消作業が現在行われているか否かを管理してもよい。例えば、作業スケジュール管理部１７４は、スケジュールされている異常解消作業に対して、異常解消作業を開始することを通知する通知データを受信した場合に、当該作業スケジュールについて、異常解消作業が行われていると判定して、管理してよい。
【００３９】
アラーム出力制御部１７２は、異常が検出された通信装置について異常解消作業がスケジュールされている場合に、異常解消作業がスケジュールされていることを追加したアラームをアラーム出力部１２０に出力させてよい。これにより、異常が検出された通信装置について、異常解消作業が予定されていることを知らせることができる。
【００４０】
アラーム出力制御部１７２は、作業スケジュール管理部１７４が管理する作業スケジュールが、異常が検出された通信装置に対して異常解消作業が行われていることを示す場合に、異常解消作業が行われていることを追加したアラームを、アラーム出力部１２０に出力させてよい。これにより、異常が検出された通信装置について、既に異常解消作業が行われていることを知らせることができる。また、検出された異常が、異常解消作業が行われていることによって発生した異常である可能性があることを知らせることができる。
【００４１】
アラーム出力制御部１７２は、異常が検出された通信装置について異常解消作業がスケジュールされている場合に、アラームを出力しないようにアラーム出力部１２０を制御してもよい。これにより、既に異常解消作業が予定されている異常についてアラームを出力することによって、通信装置に対応付けられた宛先に対して対応依頼情報が重複して送信されてしまうことを防ぐことができる。
【００４２】
アラーム出力制御部１７２は、作業スケジュール管理部１７４が管理する作業スケジュールが、異常が検出された通信装置に対して異常解消作業が行われていることを示す場合に、アラームを出力しないようにアラーム出力部１２０を制御してもよい。これにより、異常解消作業が行われているにも関わらず、通信装置に対応付けられた宛先に対して対応依頼情報が送信されてしまうことを防ぐことができる。
【００４３】
影響判定部１７６は、異常検出部１０８によって検出された異常が、基地局４０を利用する基地局利用者に対して影響を与えるか否かを判定する。基地局利用者とは、例えば、基地局４０の通信カバーエリアに在圏しており、基地局４０を介して通信を行っている通信端末を使用している者である。基地局利用者に対して影響を与えるとは、例えば、基地局利用者に対して提供する通信品質が低下することである。
【００４４】
影響判定部１７６は、複数の異常の種類のそれぞれについて、基地局利用者に対して影響を与えるか否かを示すデータを対応付けた影響判定用データを予め格納していてよい。影響判定部１７６は、影響判定用データを参照することによって、異常検出部１０８によって検出された異常が、基地局利用者に影響を与えるか否かを判定してよい。
【００４５】
アラーム出力制御部１７２は、影響判定部１７６による判定結果と、作業スケジュール管理部１７４が管理する作業スケジュールとに基づいて、アラーム出力部１２０を制御してよい。例えば、アラーム出力制御部１７２は、作業スケジュール管理部１７４が管理する作業スケジュールが、異常が検出された通信装置に対して異常解消作業が行われていることを示し、かつ、影響判定部１７６が影響を与えないと判定した場合、アラームを出力しないようにアラーム出力部１２０を制御する。
【００４６】
また、アラーム出力制御部１７２は、作業スケジュール管理部１７４が管理する作業スケジュールが、異常が検出された通信装置に対して異常解消作業が行われていることを示す場合であっても、影響判定部１７６が影響を与えると判定した場合、アラームを出力するようにアラーム出力部１２０を制御する。これにより、異常解消作業が行われている場合であっても、基地局利用者に対して影響を与えてしまう異常が発生した場合にはアラームが出力されるので、基地局利用者に対して影響を与えてしまう異常への対応の優先度を高めることができる。
【００４７】
図３は、通信路構成表示制御部１０４によって表示された通信路構成画面２００の一例を概略的に示す。図３は、△△市に配置された光終端装置３０と、○○基地局との間の通信路の通信路構成が表示された例を示す。
【００４８】
通信路構成画面２００は、通信路に含まれる複数の通信装置の接続関係を示してよい。図３は、光終端装置３０、光カプラ、ＯＮＴ、ルータ及び基地局４０の接続関係を例示しており、通信路構成画面２００は、光終端装置アイコン２２０、光カプラアイコン２２２、ＯＮＴアイコン２２４、ルータアイコン２２６及び基地局アイコン２２８を含む。通信路構成表示制御部１０４が、通信路構成画面２００を表示させることによって、通信路に含まれる複数の通信装置の構成を閲覧者に簡単に把握させることができる。
【００４９】
通信路構成画面２００は、さらに切分開始ボタン２４２及び閉じるボタン２４４を含む。切分開始ボタン２４２は、通信路構成画面２００が示す通信路に対する診断指示を受け付ける。切分開始ボタン２４２が選択された場合、通信装置診断部１０６は、通信路構成画面２００が示す通信路に含まれる複数の通信装置の診断を実行する。閉じるボタン２４４が選択された場合、通信路構成表示制御部１０４は、通信路構成画面２００の表示を停止させる。
【００５０】
切分開始ボタン２４２の選択に応じて通信装置診断部１０６が診断した診断結果に基づいて、異常検出部１０８が通信装置の異常を検出した場合、アラーム出力部１２０が当該異常を示すアラームを出力する。アラーム出力部１２０は、通信路管理装置１００が備える不図示のディスプレイにアラームを出力してよい。アラーム出力部１２０は、例えば、通信路構成画面２００内にアラームを表示させる。
【００５１】
図４は、アラーム２４６を含む通信路構成画面２００の一例を概略的に示す。図４は、ＯＮＴに対するＰｉｎｇ試験が不可であったことを示すアラーム２４６が表示された例を示す。アラーム出力部１２０は、アラーム２４６に加えて、切分詳細ログボタン２４８、ＯＮＴリブートボタン２５０及び対応依頼起票ボタン２５２を通信路構成画面２００に含めて表示させてよい。
【００５２】
切分詳細ログボタン２４８は、通信装置診断部１０６による通信装置の診断結果の詳細を表示する指示を受け付ける。切分詳細ログボタン２４８が選択された場合、通信装置診断部１０６は、診断結果の詳細を表示させてよい。診断結果の詳細は、例えば、Ｐｉｎｇの結果を含む。
【００５３】
ＯＮＴリブートボタン２５０は、異常検出部１０８により異常が検出されたＯＮＴに対する再起動指示を受け付ける。アラーム出力部１２０は、異常が検出された通信装置を再起動できる場合には、ＯＮＴリブートボタン２５０のように、異常が検出された通信装置に対する再起動指示を受け付けるボタンを表示させてよい。ＯＮＴリブートボタン２５０が選択された場合、通信路管理装置１００はＯＮＴを再起動させる。これにより、異常検出部１０８が検出した異常が、通信装置の再起動で解消できる場合に、迅速に通信装置の異常を解消させることができる。
【００５４】
対応依頼起票ボタン２５２は、アラーム２４６が示す異常への対応を依頼する対応依頼情報を生成する対応依頼情報生成指示を受け付ける。対応依頼起票ボタン２５２が選択された場合、対応依頼情報生成部１３０によって対応依頼情報が生成される。このように、アラーム２４６を含む通信路構成画面２００が、対応依頼起票ボタン２５２を含むことによって、異常が検出された通信装置に対する対応依頼情報の生成依頼を効率的に行うことができる。
【００５５】
図５は、複数のアラームをリスト化したアラームリスト３００の一例を概略的に示す。アラーム出力部１２０は、アラームリスト３００の表示指示を受け付けた場合に、通信路管理装置１００又は他の装置が備える不図示のディスプレイにアラームリスト３００を表示させてよい。アラームリスト３００は、日時欄３０２、局舎名欄３０４、ＩＰアドレス欄３０６、ＨｏｓｔＮａｍｅ欄３０８及び業務フロー名称欄３１０を含む。
【００５６】
日時欄３０２は、アラームを検出した日時を含む。局舎名欄３０４は、異常が検出された通信装置が設置された局舎の名称を含む。ＩＰアドレス欄３０６は、異常が検出された通信装置のＩＰアドレスを含む。ＨｏｓｔＮａｍｅ欄３０８は、異常が検出された通信装置のＨｏｓｔＮａｍｅを含む。業務フロー名称欄３１０は、異常の種類を含む。
【００５７】
図５に示すアラームリスト３００の１行目は、２０１４年１月１５日の２１時４４分に、局舎Ａに配置された、ＨｏｓｔＮａｍｅがＡＢ９９ＭＩ０１で、ＩＰアドレスが１９２．０．２．１である通信装置に、パケットロス率が予め定められた閾値を超えたことを示すビットエラーの異常が検出されたことを示す。アラーム出力部１２０は、アラームリスト３００に含まれる複数のアラームのうち一のアラームが選択された場合に、選択されたアラームの内容を表示させてよい。
【００５８】
図６は、アラームリスト３００に含まれる複数のアラームのうちの一のアラームが選択された場合に表示されるアラーム表示画面３２０の一例を概略的に示す。アラーム表示画面３２０は、選択されたアラームに対応する日時、局舎名、ＩＰアドレス、ＨｏｓｔＮａｍｅ及び業務フロー名称と、アラーム３１２、切分詳細ログボタン３１４、対応依頼起票ボタン３１６及び閉じるボタン３１８とを含む。
【００５９】
アラーム３１２は、アラームの内容を示す。切分詳細ログボタン３１４は、異常が検出された通信装置の診断結果の詳細を表示する指示を受け付ける。切分詳細ログボタン２４８が選択された場合、通信装置診断部１０６は、診断結果の詳細を表示させてよい。
【００６０】
対応依頼起票ボタン３１６は、アラーム３１２が示す異常への対応を依頼する対応依頼情報を生成する対応依頼情報生成指示を受け付ける。対応依頼起票ボタン３１６が選択された場合、対応依頼情報生成部１３０によって対応依頼情報が生成される。このように、アラーム３１２とともに、対応依頼起票ボタン３１６が表示されることによって、異常が検出された通信装置に対する対応依頼情報の生成依頼を効率的に行うことができる。
【００６１】
閉じるボタン３１８が選択された場合、アラーム出力部１２０は、アラーム３１２を非表示にしてよい。アラーム出力部１２０は、アラーム３１２を表示する前に表示していたアラームリスト３００を再表示させてよい。
【００６２】
図７は、複数の機器を選択可能に表示させた第１機器情報４００の表示例を概略的に示す。第１機器情報４００は、番号欄４０２、手配機器欄４０４、カテゴリ欄４０６、機器名欄４０８、機器ＩＰ欄４１０、フロア欄４１２及びラック欄４１４を含む。
【００６３】
手配機器欄４０４は、チェックボックスを含む。通信路管理装置１００の管理者等は、チェックボックスにチェックを入力することによって、対応依頼情報に含める機器の情報を選択してよい。なお、対応依頼情報に含める機器の情報の選択は、他の形態によって実現されてもよい。
【００６４】
カテゴリ欄４０６は、機器のカテゴリを含む。機器名欄４０８は、機器の名称を含む。機器の名称は、製造会社名及び製品名を含んでよい。
【００６５】
機器ＩＰ欄４１０は、異常が検出された通信装置のＩＰアドレスを含む。フロア欄４１２は、異常が検出された通信装置が配置されているフロアを含む。ラック欄４１４は、異常が検出された通信装置が配置されているラックを識別する情報を含む。
【００６６】
対応依頼情報生成部１３０は、複数の機器の情報のうち、手配機器欄４０４にチェックが入力された機器の情報を対応依頼情報に含めてよい。これにより、異常を解消するために用いられる可能性がある複数の機器から、通信路管理装置１００の管理者によって必要と判断された機器の情報のみが対応依頼情報を含まれることになり、通信装置の保守管理担当者に必要な情報を適切に伝えることができる。また、対応依頼情報が、通信装置が設置されているフロア及びラックの情報を含むことにより、通信装置の保守管理担当者が、当該通信装置が設置された建物内から、当該通信装置を探す手間を省くことができる。
【００６７】
図８は、通信路管理装置１００による処理の流れの一例を概略的に示す。ここでは、対応依頼情報生成指示を待ち受けている状態を開始状態とし、対応依頼情報を送信するまでの処理の流れについて説明する。図に示す各処理は、通信路管理装置１００が備える制御部が主体となって実行される。
【００６８】
ステップ８０２（ステップをＳと省略して記載する場合がある。）では、対応依頼情報生成部１３０が、対応依頼情報の生成指示を受け付ける。ステップＳ８０４では、第１機器情報取得部１３２が、Ｓ８０２で対応依頼情報の生成指示を受け付けた対象となる異常の種類に対応する第１機器情報を機器情報格納部１４０から取得する。
【００６９】
Ｓ８０６では、対応要否判定部１６２が、Ｓ８０２で対応依頼情報の生成指示を受け付けた対象となる異常の種類に基づいて、当該異常が検出された通信装置に通信路上で隣接する通信装置への対応の要否を判定する。Ｓ８０６で、対応要と判定された場合、Ｓ８０８に進み、対応否と判定された場合、Ｓ８１０に進む。
【００７０】
Ｓ８０８では、第２機器情報取得部１６４が、異常が検出された通信装置に通信路上で隣接する通信装置に対して用いられる機器を示す第２機器情報を機器情報格納部１４０から取得する。
【００７１】
Ｓ８１０では、対応依頼情報生成部１３０が、対応依頼情報を生成する。対応依頼情報生成部１３０は、Ｓ８０４で取得した第１機器情報を含む対応依頼情報を生成する。対応依頼情報生成部１３０は、第１機器情報が複数の機器の情報を含む場合に、複数の機器の情報のうち、通信路管理装置１００の管理者等によって選択された機器の情報のみを対応依頼情報に含めてよい。
【００７２】
対応依頼情報生成部１３０は、Ｓ８０６で対応要と判定された場合、さらに、Ｓ８０８で取得した第２機器情報を含む対応依頼情報を生成する。対応依頼情報生成部１３０は、第２機器情報が複数の機器の情報を含む場合に、複数の機器の情報のうち、通信路管理装置１００の管理者等によって選択された機器の情報のみを対応依頼情報に含めてよい。
【００７３】
Ｓ８１２では、対応依頼情報送信部１５０が、対応依頼情報を送信する。対応依頼情報送信部１５０は、Ｓ８１０で生成された第１機器情報を含む対応依頼情報を、異常が検出された通信装置に対応付けられた宛先に送信する。また、対応依頼情報送信部１５０は、Ｓ８０６で対応要と判定された場合、Ｓ８１０で生成された第２機器情報を含む対応依頼情報を、異常が検出された通信装置に通信路上で隣接する通信装置に対応付けられた宛先に送信する。そして、処理が終了する。
【００７４】
図９は、通信路管理装置１００による処理の流れの一例を概略的に示す。ここでは、異常検出部１０８による異常の検出を待ち受けている状態を開始状態とし、アラームが出力されるまでの処理の流れについて説明する。図に示す各処理は、通信路管理装置１００が備える制御部が主体となって実行される。
【００７５】
Ｓ９０２では、異常検出部１０８が異常を検出する。Ｓ９０４では、影響判定部１７６が、Ｓ９０２で検出された異常が、基地局４０を利用する基地局利用者に対して影響を与えるか否かを判定する。Ｓ９０４で、影響を与えると判定されなかった場合、Ｓ９０６に進み、影響を与えると判定された場合、Ｓ９１０に進む。
【００７６】
Ｓ９０６では、アラーム出力制御部１７２が、作業スケジュール管理部１７４によって管理されている、Ｓ９０２で異常が検出された通信装置に対する作業スケジュールを参照する。Ｓ９０８では、アラーム出力制御部１７２が、Ｓ９０２で異常が検出された通信装置に対する異常解消作業中であるか否かを判定する。異常解消作業中でないと判定された場合、Ｓ９１０に進む。
【００７７】
Ｓ９１０では、アラーム出力制御部１７２が、アラーム出力部１２０にアラームを出力させる。そして処理が終了する。Ｓ９０８で、異常作業解消中であると判定された場合、アラーム出力部１２０にアラームを出力させることなく、処理が終了する。
【００７８】
このように、本実施形態に係る通信路管理装置１００は、異常が検出された通信装置について、基地局利用者に対する影響がない場合であり、かつ、異常解消作業が実施されている場合には、アラームを出力しない。これにより、既に通信装置に対する異常解消作業が実施されているにも関わらず、当該通信装置に対する対応依頼情報が生成されてしまうことを防止できる。
【００７９】
また、本実施形態に係る通信路管理装置１００は、異常解消作業が実施されている場合であっても、基地局利用者に対する影響がある場合には、アラームを出力する。これにより、基地局利用者に対する影響がある異常について、優先的に対応できる。
【００８０】
以上の説明において、通信路管理装置１００の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、通信路管理装置１００として機能してもよい。プログラムは、コンピュータ読み取り可能な媒体又はネットワークに接続された記憶装置から、通信路管理装置１００の少なくとも一部を構成するコンピュータにインストールされてよい。
【００８１】
コンピュータにインストールされ、コンピュータを本実施形態に係る通信路管理装置１００として機能させるプログラムは、ＣＰＵ等に働きかけて、コンピュータを、通信路管理装置１００の各部としてそれぞれ機能させる。これらのプログラムに記述された情報処理は、コンピュータに読込まれることにより、ソフトウエアと通信路管理装置１００のハードウエア資源とが協働した具体的手段として機能する。
【００８２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８３】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００８４】
１０  コアネットワーク、２０  ＰＯＩ、３０  光終端装置、４０  基地局、１００  通信路管理装置、１０２  通信路構成格納部、１０４  通信路構成表示制御部、１０６  通信装置診断部、１０８  異常検出部、１１０  異常データ受信部、１２０  アラーム出力部、１３０  対応依頼情報生成部、１３２  第１機器情報取得部、１４０  機器情報格納部、１５０  対応依頼情報送信部、１６２  対応要否判定部、１６４  第２機器情報取得部、１７２  アラーム出力制御部、１７４  作業スケジュール管理部、１７６  影響判定部、２００  通信路構成画面、２２０  光終端装置アイコン、２２２  光カプラアイコン、２２４  ＯＮＴアイコン、２２６  ルータアイコン、２２８  基地局アイコン、２４２  切分開始ボタン、２４４  閉じるボタン、２４６  アラーム、２４８  切分詳細ログボタン、２５０  ＯＮＴリブートボタン、２５２  対応依頼起票ボタン、３００  アラームリスト、３０２  日時欄、３０４  局舎名欄、３０６  ＩＰアドレス欄、３０８  ＨｏｓｔＮａｍｅ欄、３１０  業務フロー名称欄、３１２  アラーム、３１４  切分詳細ログボタン、３１６  対応依頼起票ボタン、３１８  閉じるボタン、３２０  アラーム表示画面、４００  第１機器情報、４０２  番号欄、４０４  手配機器欄、４０６  カテゴリ欄、４０８  機器名欄、４１０  機器ＩＰ欄、４１２  フロア欄、４１４  ラック欄
【要約】
【課題】通信ネットワークを構成する通信装置に異常が発生した場合に、効率的に異常を解消することを支援できることが望ましい。
【解決手段】コアネットワークから基地局までの通信路に含まれる通信装置の異常を検出する異常検出部と、異常検出部が検出した異常の種類に基づいて、異常を解消するために用いられる機器を示す第１機器情報を取得する第１機器情報取得部と、第１機器情報を含む対応依頼情報を、異常が検出された通信装置に対応付けられた宛先に送信する対応依頼情報送信部とを備える通信路管理装置を提供する。
【選択図】図２【図１】
0005643453.tif 000002
【図２】
0005643453.tif 000003
【図３】
0005643453.tif 000004
【図４】
0005643453.tif 000005
【図５】
0005643453.tif 000006
【図６】
0005643453.tif 000007
【図７】
0005643453.tif 000008
【図８】
0005643453.tif 000009
【図９】
0005643453.tif 000010